(57)【要約】【課題】  機能モジュールの稼働時間を記憶し、かつ、その稼働時間を外部へ送信することが可能な半導体装置、その半導体装置を搭載する通信用端末、及びその通信用端末に搭載された機能モジュールの使用料金徴収方法を含む通信サービスシステムを提供する。【解決手段】  半導体装置として、機能モジュール１６ａ乃至１６ｂを有し、ＣＰＵの指令によって機能モジュールを１６ａ乃至１６ｂを稼働させ、機能モジュールの稼働時間をクロック制御回路及びＣＰＵにより計測し、その稼働時間を外部へ送信する。【選択図】  図２
2005269019.tif 000002
【特許請求の範囲】
【請求項１】
機能モジュールと、
前記機能モジュールを稼働させる稼働手段と、
前記機能モジュールの稼働時間を計測する計測手段と、
前記稼働時間を記憶する記憶手段とを
有することを特徴とする半導体装置。
【請求項２】
ソフトウェアモジュールを記憶する記憶手段と、
前記ソフトウェアモジュールを実行する実行手段と、
前記ソフトウェアモジュールの稼働時間を計測する計測手段と、
前記稼働時間を記憶する記憶手段とを
有することを特徴とする半導体装置。
【請求項３】
機能モジュール、前記機能モジュールを稼働させる稼働手段、前記機能モジュールの稼働時間を計測する計測手段、及び前記稼働時間を記憶する記憶手段を有する半導体装置と、
記憶した前記稼働時間を外部へ送信する送信手段とを
有することを特徴とする通信用端末装置。
【請求項４】
通信用端末装置をユーザが使用し、前記通信用端末装置の前記ユーザが、前記通信用端末装置によって利用した通信サービスの利用料金を事業者へ支払う通信サービスシステムであって、
機能モジュール、前記機能モジュールを稼働させる稼働手段、前記機能モジュールの稼働時間を計測する計測手段、および前記稼働時間を記憶する記憶手段を有する半導体装置と、記憶した前記稼働時間を外部へ送信する送信手段とを有する通信用端末装置から前記稼働時間を受信する手段と、
受信した稼働時間に対し、予め登録されているデータベースから前記機能モジュールの使用料金を算出する手段と、
前記機能モジュールの使用料金を含む前記通信サービスの利用料金を前記通信用端末装置のユーザから前記事業者が徴収する手段と、
徴収した前記機能モジュールの使用料金を前記事業者が前記機能モジュールの販売業者に支払う手段とを
有することを特徴とする通信サービスシステム。
【請求項５】
通信用端末装置をユーザが使用し、前記通信用端末装置の前記ユーザが、前記通信用端末装置によって利用した通信サービスの利用料金を事業者へ支払う通信サービスシステムであって、
ソフトウェアモジュールを記憶する記憶手段、前記ソフトウェアモジュールを実行する実行手段、前記ソフトウェアモジュールの稼働時間を計測する計測手段、及び前記稼働時間を記憶する記憶手段を有する半導体装置と、記憶した前記稼働時間を外部へ送信する送信手段を有する通信用端末装置から前記稼働時間を受信する手段と、
受信した稼働時間に対し、予め登録されているデータベースから前記ソフトウェアモジュールの使用料金を算出する手段と、
前記使用料金を含む前記通信サービスの利用料金を前記通信用端末装置のユーザから前記事業者が徴収する手段と、
徴収した前記ソフトウェアモジュールの使用料金を前記事業者が前記ソフトウェアモジュールの販売業者に支払う手段とを
有することを特徴とする通信サービスシステム。
【発明の詳細な説明】
【技術分野】
【０００１】
本発明は、機能モジュールを有する半導体装置、その半導体装置を搭載した通信用端末、及び通信用端末に搭載された機能モジュールの使用料金徴収方法を含む通信サービスシステムに関する。
【背景技術】
【０００２】
近年、半導体技術の発展と共に、半導体装置として様々な機能を搭載したシステムＬＳＩが利用されるようになってきた。この分野では、素子の微細化、回路の大規模化が進み、機能モジュールを用いた設計が行われるようになっている。機能モジュールとして、半導体装置メーカーが自ら開発したもの以外に、デザインハウス等が設計したものもシステムＬＳＩに組み込まれる場合が増えてきている。また、ソフトウェアモジュールをシステムＬＳＩ内のメモリ回路に記憶させ、それを用いて機能モジュールと同じ働きをさせる方法も用いられている。
【０００３】
このような場合、半導体メーカーはデザインハウス等から機能モジュール、ソフトウェアモジュールの使用権を購入し、それをシステムＬＳＩの価格に含ませている。しかし、システムＬＳＩを使用するユーザは、そのシステムＬＳＩに搭載されている機能モジュール或いはソフトウェアモジュールをすべて使用しない場合もある。このような時、そのユーザは結果として、使用しない機能モジュール或いはソフトウェアモジュールについてもその使用権に関し、対価の支払いを行うことになる。
【０００４】
一方、ユーザの要求に対応して、例えば必要な機能モジュールだけを有するシステムＬＳＩを開発すると、それに応じた開発コスト等が掛かる。したがって、半導体メーカーとして汎用性を持ったシステムＬＳＩを効率よく開発することが困難になる。
【０００５】
このような問題を解決するため、例えば、汎用性のあるシステムＬＳＩを設計し、それと共に、その中に搭載する機能モジュールについては使用しない場合は無効にする手段を内部にもつことが提案されている。ユーザは必要としない機能モジュールを無効にし、使用する機能モジュールについてだけ、その使用権に相当する対価を支払う（例えば、特許文献１参照）。
【０００６】
しかし、例えば通信用端末等多数のユーザが使用する機器の場合、上述の方法を取ることは非常に困難である。例えば、携帯電話端末を考える。携帯電話端末内のシステムＬＳＩに、例えば３次元グラフィックゲームを高速処理する機能モジュールが含まれる場合、そのゲームを使用しないと考える端末ユーザは、その機能モジュールが無効化された携帯電話端末を購入する必要がある。従って、携帯電話端末メーカーは利用が特定化された様々な携帯電話端末を製造することになり、携帯電話端末の汎用性がそがれることになる。
【０００７】
また、ユーザがその携帯電話端末を利用している際、考えが変わり、３次元グラフィックゲームを利用したいと思った場合、それを使うことができないことになる。この不便さを逃れるため、汎用性のある携帯電話端末を購入すると、結果として、ユーザは利用しない機能モジュールの使用権料を購入時に負担するという不都合を生じる。
【特許文献１】特開２００２−２９９４６４号公報（第９ページ、第１図）
【発明の開示】
【発明が解決しようとする課題】
【０００８】
本発明は上記問題を解決するためになされたもので、機能モジュールの稼働時間を記憶し、かつ、その稼働時間を外部へ送信することが可能な半導体装置、その半導体装置を搭載する通信用端末、及びその通信用端末に搭載された機能モジュールの使用料金徴収方法を含む通信サービスシステムを提供することを目的とする。
【課題を解決するための手段】
【０００９】
上記の課題を解決するため、本発明の第１の態様は、半導体装置として、機能モジュールと、前記機能モジュールを稼働させる稼働手段と、前記機能モジュールの稼働時間を計測する計測手段と、前記稼働時間を記憶する記憶手段とを有することを特徴とする。
【００１０】
また、本発明の第２の態様は、半導体装置として、ソフトウェアモジュールを記憶する記憶手段と、前記ソフトウェアモジュールを実行する実行手段と、前記ソフトウェアモジュールの稼働時間を計測する計測手段と、前記稼働時間を記憶する記憶手段とを有することを特徴とする。
【００１１】
また、本発明の第３の態様は、通信用端末装置として、機能モジュール、前記機能モジュールを稼働させる稼働手段、前記機能モジュールの稼働時間を計測する計測手段、及び前記稼働時間を記憶する記憶手段を有する半導体装置と、記憶した前記稼働時間を外部へ送信する送信手段とを有することを特徴とする。
【００１２】
また、本発明の第４の態様は、通信用端末装置をユーザが使用し、前記通信用端末装置の前記ユーザが、前記通信用端末装置によって利用した通信サービスの利用料金を事業者へ支払う通信サービスシステムであって、機能モジュール、前記機能モジュールを稼働させる稼働手段、前記機能モジュールの稼働時間を計測する計測手段、および前記稼働時間を記憶する記憶手段を有する半導体装置と、記憶した前記稼働時間を外部へ送信する送信手段とを有する通信用端末装置から前記稼働時間を受信する手段と、受信した稼働時間に対し、予め登録されているデータベースから前記機能モジュールの使用料金を算出する手段と、前記機能モジュールの使用料金を含む前記通信サービスの利用料金を前記通信用端末装置のユーザから前記事業者が徴収する手段と、徴収した前記機能モジュールの使用料金を前記事業者が前記機能モジュールの販売業者に支払う手段とを有することを特徴とする。
【００１３】
また、本発明の第５の態様は、通信用端末装置をユーザが使用し、前記通信用端末装置の前記ユーザが、前記通信用端末装置によって利用した通信サービスの利用料金を事業者へ支払う通信サービスシステムであって、ソフトウェアモジュールを記憶する記憶手段、前記ソフトウェアモジュールを実行する実行手段、前記ソフトウェアモジュールの稼働時間を計測する計測手段、及び前記稼働時間を記憶する記憶手段を有する半導体装置と、記憶した前記稼働時間を外部へ送信する送信手段を有する通信用端末装置から前記稼働時間を受信する手段と、受信した稼働時間に対し、予め登録されているデータベースから前記ソフトウェアモジュールの使用料金を算出する手段と、前記使用料金を含む前記通信サービスの利用料金を前記通信用端末装置のユーザから前記事業者が徴収する手段と、徴収した前記ソフトウェアモジュールの使用料金を前記事業者が前記ソフトウェアモジュールの販売業者に支払う手段とを有することを特徴とする通信サービスシステム。
【発明の効果】
【００１４】
本発明によれば、通信用端末ユーザは通信用端末内に搭載された半導体装置に含まれる機能モジュール或いはソフトモジュールに関し、利用したものだけについて、その稼働時間に応じた料金を払い、利用しない機能モジュール或いはソフトモジュールの使用料を負担する必要がなくなる。このため、通信サービスシステムの料金体系の合理化を図ることができる。
【発明を実施するための最良の形態】
【００１５】
以下、図面を参照して本発明の実施例を説明する。
【実施例１】
【００１６】
本発明の第１の実施例を図１から図３を用いて説明する。本実施例では通信端末装置として例えば携帯電話端末を用いる。
【００１７】
本実施例に用いる携帯電話端末１０は図１に示すように構成されている。ＲＦ回路１１は高周波信号を扱う回路である。ＡＤ／ＤＡ回路１２は受信時にはアナログ信号をデジタル信号に変換し、また送信時にはデジタル信号をアナログ信号に変換する。ベースバンド処理ＬＳＩ１３は受信時にはデジタル復調、誤り訂正、同期処理、音声信号とデータ信号の分離などを行い、送信時には逆に音声信号とデータ信号の多重化、誤り訂正用情報の付加、デジタル変調を行う。また、ベースバンド処理ＬＳＩ１３の中にＣＰＵ（図示せず）が含まれ、携帯電話端末１０の全体の制御を行う。
【００１８】
アプリケーションＬＳＩ１４は基本的にユーザとやりとりする情報の処理全般を担う。具体的な例としては内蔵カメラで撮った画像の圧縮保存および再生、また圧縮保存されている音楽データの再生といった処理があげられる。このアプリケーションＬＳＩ１４によって携帯電話端末１０の多機能化を実現している。不揮発性メモリ１５は携帯電話端末１０の電源が切られているときでも電話帳データや電子メールなど各種情報を保存しておくためのものである。
【００１９】
図２にアプリケーションＬＳＩ１４の内部構成を示す。アプリケーションＬＳＩ１４は機能モジュール１６ａ乃至１６ｂ、インターフェイス回路１６ｃ乃至１６ｄ、クロック制御回路１７、ＣＰＵ１８から構成される。ここで機能モジュール１６ａ乃至１６ｂは特定の機能を効率よく処理するために設計された半導体回路であり、例えば動画像の処理を担う機能モジュール、携帯電話端末に内蔵されるカメラで撮った静止画の圧縮処理を行なう機能モジュール、ゲーム使用時のグラフィック処理のための機能モジュール等である。また、インターフェイス回路１６ｃ乃至１６ｄは携帯電話端末１０の中の機器或いは外付けされる機器、例えば液晶画面、キーパッド、メモリカード等を制御する。
【００２０】
クロック制御回路１７は機能モジュール１６ａ乃至１６ｂの動作の際にクロックを供給する。アプリケーションＬＳＩ１４に内蔵されているＣＰＵ１８がクロック制御回路１７を制御する。ＣＰＵ１８はベースバンド処理ＬＳＩ１３からの指示を受け、動作させる機能モジュールを決定し、クロック制御回路１７に機能モジュール１６ａ乃至１６ｂごとのクロックのオン及びオフに関するパラメータを設定する。ここでＣＰＵ１８は内蔵するタイマーを参照して機能モジュール１６ａ乃至１６ｂの動作開始時刻を記録しておく。一連の動作を終えて機能モジュールへのクロック供給を止めるとき、再び内蔵タイマーを参照し、記録してあった動作開始時刻との差分をとって、稼働時間を決定し、機能モジュール１６ａ乃至１６ｂごとの累積稼働使用時間を更新する。
【００２１】
ベースバンド処理ＬＳＩ１３は定期的（例えば1日１回）にアプリケーションＬＳＩ１４にアクセスし、機能モジュール１６ａ乃至１６ｂごとの累積稼働時間を取り込む。これを受けてアプリケーションＬＳＩ１４は機能モジュール別累積稼働時間の記録値をゼロに戻し、新たに稼働時間の累積を開始する。
【００２２】
ベースバンド処理ＬＳＩ１３は、接続されている不揮発性メモリ１５に機能モジュール１６ａ乃至１６ｂごとの累積稼働時間を記憶し、基地局に通知できるようにしておく。なお、ここで不揮発性メモリ１５に記憶させる理由は、ユーザが携帯電話端末の電源を切った場合でも累積稼働時間の記録を残しておくためである。
【００２３】
図３に携帯電話サービスシステムの模式図を示す。図３の模式図に基づき、機能モジュールに関する料金徴収の仕組みを説明する。
【００２４】
携帯電話端末２１はユーザ２２が通話をしないときでも定期的に基地局２３との間で交信を行う。このとき携帯電話端末２１と基地局２３との間にデータチャネルが設定され、制御情報がやり取りされる。基地局２３からは電話呼び出しの有無、メール着信の有無などの情報が伝達され、携帯電話端末２１は基地局２３から届いた信号の誤り率に関するデータなどを伝達する。
【００２５】
このとき、他の制御情報と共に、基地局２３に向けて機能モジュールごとの累積稼働時間のデータを伝送する。携帯電話端末２１と基地局２３とのデータチャネルのフレーム構成、及び基本的な制御情報のやり取りについては標準規格で定められている。更に、付加的なサービスを実現するための情報伝達の仕組みも別途規格として用意されており、機能モジュールごとの累積稼働時間のデータはその規格に沿って基地局２３へ伝送される。
【００２６】
このようにして基地局２３には携帯電話端末２１の機能モジュールごとの累積稼働時間のデータが集められる。基地局２３はこれを集計センター２４へ伝送する。集計センター２４は各携帯電話端末２１における機能モジュールごとの累積稼働時間を、更に累積し、例えば月ごとに集計する。集計センター２４が報告する集計結果に基づき、携帯電話事業者２５が携帯電話端末ユーザ２２に対し、課金し、それを含めて全体の通信サービス利用料金とする。
【００２７】
この一連のステップは、種々の機能モジュールの料金一覧等のデータベースに基づいて実施される。また、個々の機能モジュールの稼働時間を明細書に記載するとは限らない。携帯電話端末ユーザ２２の抵抗感を軽減するため、例えば付加サービス料といった表現で全体の金額だけを記載するなどといった工夫がありえる。
【００２８】
上述の機能モジュール使用料金は既存の携帯電話サービスシステムの課金体系に則って運用される。次の携帯電話事業者２５から機能モジュール販売業者までのシステムは、機能モジュールの課金体系を含む携帯電話サービスシステムとして新たに付加されるものである。
【００２９】
即ち、携帯端末ユーザ２２が支払った機能モジュールの使用料は、携帯電話事業者２５からアプリケーションＬＳＩを販売した半導体メーカー２６に支払われ、更に、半導体メーカー２６から機能モジュール販売業者２７へ支払われる。
【００３０】
本実施例によれば、通信用端末ユーザは通信用端末内に搭載された半導体装置に含まれる機能モジュールに関し、利用したものだけについて、その稼働時間に応じた料金を払い、利用しない機能モジュールの使用料を負担する必要がなくなる。このため、通信サービスシステムの料金体系の合理化を図ることができる。
【実施例２】
【００３１】
本発明の第２の実施例を図４から図６を用いて説明する。本実施例では通信用端末装置として、第１の実施例と同様に携帯電話端末を用いる。
【００３２】
図４に携帯電話端末の構成図を示す。基本的には第１の実施例における図１に示した携帯電話端末と同様の構成である。異なる点は、後述するアプリケーションＬＳＩの形態である。
【００３３】
本実施例に用いる携帯電話端末３０は図４に示すように構成されている。ＲＦ回路３１は高周波信号を扱う回路である。ＡＤ／ＤＡ回路３２は受信時にはアナログ信号をデジタル信号に変換し、また送信時にはデジタル信号をアナログ信号に変換する。ベースバンド処理ＬＳＩ３３は受信時にはデジタル復調、誤り訂正、同期処理、音声信号とデータ信号の分離などを行い、送信時には逆に音声信号とデータ信号の多重化、誤り訂正用情報の付加、デジタル変調を行う。また、ベースバンド処理ＬＳＩ３３の中にＣＰＵ（図示せず）が含まれ、端末全体の制御を行う。
【００３４】
アプリケーションＬＳＩ３４は基本的にユーザとやりとりする情報の処理全般を担う。具体的な例としては内蔵カメラで撮った画像の圧縮保存および再生、また圧縮保存されている音楽データの再生といった処理があげられる。このアプリケーションＬＳＩ３４によって携帯電話端末３０の多機能化を実現している。不揮発性メモリ３５は携帯電話端末３０の電源が切られているときでも電話帳データや電子メールなど各種情報を保存しておくためのものである。
【００３５】
アプリケーションＬＳＩ３４の内部構成を図５に示す。インターフェイス回路３６ａ乃至３６ｄ、デジタル信号処理回路３７（以降ＤＳＰと称す）、ＣＰＵ３８から構成される。このアプリケーションＬＳＩ３４は機能モジュールではなく、ＤＳＰ３７とその上で実行されるソフトウェアモジュールにより画像の圧縮伸張などの処理を実現する。
【００３６】
ここで画像圧縮などの特定の処理を行なうソフトウェアをソフトウェアモジュールと呼び、基本的には半導体メーカーが自社のアプリケーションＬＳＩ３４に最適化したものを外部のソフトウェアメーカーに依頼して開発させ、アプリケーションＬＳＩ３４の中のメモリ回路（図示せず）に記憶させて携帯電話端末メーカーに納入する。
【００３７】
処理対象のデータ（例えばカメラでとった画像データ）の取り込み、処理結果（例えば圧縮した画像データ）の出力はインターフェイス回路３６ａ乃至３６ｄを通して行なう。
【００３８】
ＣＰＵ３８はベースバンド処理ＬＳＩ３３からの指示を受けて、動作させるソフトウェアモジュールを決定し、ＤＳＰ３７に指示を与える。ここでＣＰＵ３８は内蔵するタイマーを参照してソフトウェアモジュールの起動時刻を記録しておく。一連の処理を終えてソフトモジュールを停止させるときＣＰＵ３８は再び内蔵タイマーを参照し、記録してあった動作開始時刻と差分をとって稼働時間を決定し、ソフトウェアモジュール別の累積稼働時間を更新する。
【００３９】
ベースバンド処理ＬＳＩ３３は定期的に（例えば、少なくとも１日１回）、アプリケーションＬＳＩ３４にアクセスし、ソフトウェアモジュール別の累積稼働時間を取り込む。これを受けてアプリケーションＬＳＩ３４はソフトウェアモジュール別累積稼働時間の記録値をゼロに戻し、新たに稼働時間の累積を開始する。ベースバンド処理ＬＳＩ３３は接続されている不揮発性メモリ３５にソフトウェアモジュール別累積稼働時間を記憶させ、基地局に通知できるようにしておく。
【００４０】
なお、ここで不揮発性メモリ３５に記憶させるのは、ユーザが携帯電話端末３０の電源を切った場合でも累積稼働時間の記録を残しておくためである。
【００４１】
図６に携帯電話サービスシステムの模式図を示す。図６の模式図に基づき、ソフトウェアモジュールに関する料金徴収の仕組みを説明する。この仕組みは基本的に第１の実施例を示す図３と同じである。
【００４２】
携帯電話端末４１は定期的に行なう基地局４３との交信の際、ソフトウェアモジュール別累積稼働時間を通知する。基地局４３には各端末のソフトウェアモジュール別累積稼働時間のデータが集められる。基地局４３はこれを集計センター４４に伝達する。集計センターは各携帯電話端末４１におけるソフトウェアモジュールの稼働時間を更に累積し、月毎に集計する。集計センター４４が報告する集計結果に基づき、携帯電話事業者４５が携帯電話端末ユーザ４２に対し、課金する。携帯電話端末ユーザ４２が支払ったソフトウェアモジュールの使用料は、携帯電話事業者４５からアプリケーションＬＳＩ３４を販売した半導体メーカー４６に支払われ、更に、半導体メーカー４６からソフトウェアモジュール販売業者４７に支払われる。
【００４３】
なお、本発明は上述した実施形態に何ら限定されるものではなく、本発明の主旨を逸脱しない範囲内で種々変更して実施することができる。
【００４４】
例えば、ベースバンド処理ＬＳＩ或いは他のＬＳＩが機能モジュール、ソフトウェアモジュールの累積時間を計量したとしても本発明の趣旨から外れるものではない。
【００４５】
また、通信用端末として、携帯電話端末の他に、パソコン、サーバー等の電子機器に対しても本発明を適用できることは勿論である。
【００４６】
また、実施例においては、携帯電話端末ユーザが支払った機能モジュール或いはソフトウェアモジュールの使用料は、携帯電話事業者からアプリケーションＬＳＩを販売した半導体メーカーに支払われ、更に、半導体メーカーから機能モジュール販売業者或いはソフトウェアモジュール販売業者に支払いが行われるが、携帯電話事業者から直接、機能モジュール販売業者或いはソフトウェアモジュール販売業者に支払いが行われても良いことは勿論である。
【００４７】
また、本発明は、以下の付記に記載されるような構成が考えられる。
【００４８】
付記１として、前記機能モジュールの稼働時間は前記機能モジュールにクロック或いは電源電圧を供給した時間であることを特徴とする半導体装置。
【００４９】
付記２として、付記１に示す半導体装置を有する通信用端末装置。
【００５０】
付記３として、付記１に示す半導体装置を有する通信用端末装置を用いる通信サービスシステム。
【００５１】
付記４として、通信用端末装置は携帯電話端末であることを特徴とする通信サービスシステム。
【００５２】
付記５として、通信用端末装置をユーザが使用し、前記通信用端末装置の前記ユーザが、使用した前記通信用端末装置の使用料金を事業者へ支払う通信サービスシステムであって、機能モジュール、前記機能モジュールを稼働させる手段、前記機能モジュールの稼働時間を計測する計測手段、及び前記稼働時間を記憶する記憶手段とを有する半導体装置と、記憶した前記稼働時間を外部へ送信する送信手段とを有する通信用端末装置から前記稼働時間を受信するステップと、受信した稼働時間に対し、予め登録されているデータベースから前記機能モジュールの使用料金を算出するステップと、前記使用料金を含む前記通信用端末装置によって利用した通信サービスの利用料金を前記通信用端末装置のユーザから前記事業者が徴収するステップと、徴収した前記機能モジュールの使用料金を前記事業者が前記機能モジュールの販売業者へ納入するステップとを有することを特徴とする通信サービスの方法。
【００５３】
付記６として、通信用端末装置をユーザが使用し、前記通信用端末装置の前記ユーザが、使用した前記通信用端末装置の使用料金を事業者へ支払う通信サービスシステムであって、ソフトウェアモジュールを記憶する記憶手段、前記ソフトウェアモジュールを実行する実行手段、前記ソフトウェアモジュールの稼働時間を計測する計測手段、及び前記稼働時間を記憶する記憶手段を有する半導体装置と、記憶した前記稼働時間を外部へ送信する送信手段を有する通信用端末装置から前記稼働時間を受信するステップと、受信した稼働時間に対し、予め登録されているデータベースから前記ソフトウェアモジュールの使用料金を算出するステップと、前記使用料金を含む前記通信用端末装置によって利用した通信サービスの利用料金を前記通信用端末装置のユーザから前記事業者が徴収するステップと、徴収した前記ソフトウェアモジュールの使用料金を前記事業者が前記ソフトウェアモジュールの販売業者へ納入するステップとを有することを特徴とする通信サービスの方法。
【００５４】
付記７として、ソフトウェアモジュールを記憶する記憶手段、前記ソフトウェアモジュールを実行する実行手段、前記ソフトウェアモジュールの稼働時間を計測する計測手段、及び前記稼働時間を記憶する記憶手段を有する半導体装置と、記憶した前記稼働時間を外部へ送信する送信手段とを有することを特徴とする通信用端末装置。
【図面の簡単な説明】
【００５５】
【図１】本発明の第１の実施例における携帯電話端末の内部構成を示す平面の模式図。
【図２】本発明の第１の実施例におけるアプリケーションＬＳＩを示すブロック回路図
【図３】本発明の第１の実施例における携帯電話サービスシステムを示す模式図。
【図４】本発明の第２の実施例における携帯電話端末の内部構成を示す平面の模式図。
【図５】本発明の第２の実施例におけるアプリケーションＬＳＩを示すブロック回路図
【図６】本発明の第２の実施例における携帯電話サービスシステムを示す模式図。
【符号の説明】
【００５６】
１０、２１、３０，４１  携帯電話端末
１１、３１  ＲＦ回路
１２，３２  ＡＤ／ＤＡ回路
１３、３３  ベースバンド処理ＬＳＩ
１４、３４  アプリケーションＬＳＩ
１５、３５  不揮発性メモリ
１６ａ、１６ｂ  機能モジュール
１６ｃ、１６ｄ、３６ａ、３６ｂ、３６ｃ、３６ｄ  インターフェイス回路
１７  クロック制御回路
１８、３８  ＣＰＵ
２０、４０  携帯電話サービスシステム
２２、４２  携帯電話端末ユーザ
２３、４３  基地局
２４、４４  集計センター
２５、４５  携帯電話事業者
２６、４６  半導体メーカー
２７  機能モジュール販売業者
３７  ＤＳＰ
４７  ソフトウェアモジュール販売業者
【図１】
2005269019.tif 000003
【図２】
2005269019.tif 000004
【図３】
2005269019.tif 000005
【図４】
2005269019.tif 000006
【図５】
2005269019.tif 000007
【図６】
2005269019.tif 000008